(57)【要約】【課題】従来、介護用のポータブルトイレの汚物処理方法は、バケツ型の汚物収容器に排便排尿し、そのあと汚物をトイレに流すというものである。しかし、汚物収容器には汚物や臭いが付着しているため、汚物を廃棄した後、汚物収容器を洗浄する必要があり介護者には不潔感と煩わしさがともなう作業であるという課題があった。【解決手段】本発明は溶解温度摂氏６０度以上の熱水溶解フィルムを使用した多層構造の袋であって、外観上一体の袋を形成しているが各層の底辺が数センチの間隔を置き互いに接触していない複数底を持つことを特徴とするポータブルトイレ用の汚物処理袋を提供している。すなわち、排便排尿を収容した本発明の汚物処理袋は、既存の汚物収容器あるいは専用ホルダーから取り外してトイレに入れ、溶解温度以上の熱水を注ぎ、袋を溶解して下水に流すことで従来の課題を解決している。また、この構成により袋外に結露が発生することを防いでいる。【選択図】図１
2006296399.tif 000002
【特許請求の範囲】
【請求項１】
溶解温度摂氏６０度以上の熱水溶解フィルムの多層構造の袋であって、各層の底辺が数センチの間隔を置き互いに接触していない複数底を持ち、深さ方向の両端を重ねてヒートシールすることで一体の袋を形成していることを特徴とする介護用ポータブルトイレ用の汚物処理袋。
【請求項２】
汚物と直接接する内側の袋の上端が外側の袋よりも長いことを特徴とする請求項１の介護用ポータブルトイレ用の汚物処理袋。
【請求項３】
袋の底部が口部よりも狭くなっていることを特徴とする請求項１および請求項２の汚物処理袋。
【請求項４】
フィルム半折用三角板に複数底用のスロットを数センチ間隔で設けることにより請求項１および請求項２の汚物処理袋を形成するための製造方法。
【発明の詳細な説明】
【技術分野】
【０００１】本発明は椅子型介護用ポータブルトイレに収容された汚物を簡単かつ清潔に処理するための溶解温度摂氏６０度以上の熱水溶解フィルムから構成される汚物処理袋に関する。
【背景技術】
【０００２】従来、椅子型介護用ポータブルトイレの使用方法は便座下に置かれたバケツ型汚物収容器に排便排尿を行い、使用後は汚物をトイレに廃棄するというものである。そのため、汚物廃棄後には必ず汚物収容器の洗浄という煩わしい作業が必要であった。【０００３】また、汚物を水洗処理する従来技術の汚物処理袋には以下のものがある。
【特許文献１】    特開２０００−０３４００１
【特許文献２】    特開２０００−２８７５７３
【特許文献３】    特開平８−２９４３３８
【特許文献４】    特開平１１−２６９７０９
【特許文献５】    特開平６−１４２１７
【実用新案文献１】
実公平８−４８６６
【実用新案文献２】
実登３０４２４８６
以下、従来技術の汚物処理袋について説明する。
【０００４】特許文献１は内側に水溶性フィルムを外側に水分散性紙を配して構成される汚物処理袋であるが、これは地上に落下したペット犬などの糞を水分散性紙面で拾い上げ、袋を反転させて袋内に糞を収容し袋ごとトイレに流すためのものである。そして、水分散性紙は汚物の水分を吸収し水溶性フィルムに汚物の水分が浸透する時間を遅らせることにより袋の保持時間を延ばしている。しかし、この文献では水分の多い人間の排便排尿を長時間保持する技術は開示されていない。
【０００５】特許文献２は片面が非水溶性でもう一方の面が水溶性のフィルムから構成される袋で、トイレットペーパーなどで回収したペット犬の糞を非水溶性の面で収容し、そのままトイレに流すものである。この文献では片面に撥水剤あるいは防水剤等で被膜した水溶性フィルムを教示しているが、多量の水分を含む人間の排便排尿を長時間収容した際に袋の外側に発生する結露により外側からフィルムが溶けてしようことを防ぐ技術は開示されていない。
【０００６】特許文献３と特許文献４および実用新案文献１は水分散性紙と水溶性フィルムの接合方法および形状が相違するだけで、多量の水分を含む人間の排便排尿を長時間保持できる技術は開示されていない。
【０００７】特許文献５はポリビニルアルコールフィルムに耐水性で微生物分解性のある樹脂をコーティングして、耐水面を内側にして袋状にしたものであり、汚物を収容したまま水洗トイレに流すというものである。本文献では耐水性樹脂層は微生物分解性であり、トイレの配管を通過後に徐々に生分解され消滅するものである。そのため使用可能なフィルム面積は耐水性樹脂層がトイレの下水管を通過できる程度の面積しか使用できず、介護用ポータブルトイレの汚物収容器に代替できるほどの大きさの袋をトイレに流した場合には配管詰まりを起こすと考えられる。また、人間の糞便を収容した場合に袋の外側に発生する結露によってトイレに投棄する前に外側からフィルムが溶解し、汚物が漏れ出す恐れがある。
【０００８】実用新案文献２は易水溶性のポリビニルアルコールフィルムあるいは易水溶性の基材の一方の面に撥水性のパラフィンなどで被覆層を形成し、その撥水面を内側にしたトイレ用汚物袋である。この技術は水溶性の基材に非水溶性の被覆層を形成する点において特許文献５と原理的には同じであり、汚物を収容した袋の外側に発生する結露によって水溶性の基材が溶解し、汚物が漏れ出す恐れがある。また、汚物の重量により基材が引っ張られ被覆層に亀裂が入った場合も汚物が漏れ出す恐れがある。
【０００９】このように、従来の下水廃棄可能な汚物処理袋の技術は通常の水道水で溶解する低温溶解性または常温溶解性の水溶性フィルムを使用している。また、汚物を収容した際に袋の外側に発生する結露により袋のフィルムの外側から溶解することを防ぐ技術は開示されていない。
【００１０】すなわち、従来の下水廃棄可能な汚物処理袋は水分の多い人間の排泄物を大量に、長時間保持する技術を開示していない。さらに、従来の下水廃棄可能な汚物処理袋の技術は近年普及しつつある温水洗浄機能をもった介護用ポータブルトイレに使用することができないことは明らかである。
【００１１】また、従来技術の汚物処理袋は数センチの間隔を置いた複数底を持つ製袋方法の技術を開示していないことも明らかである。
【発明の開示】
【発明が解決しようとする課題】
【００１２】近年、高齢者の在宅介護用品として椅子型の介護用ポータブルトイレが普及しているが、その使用方法はポータブルトイレ内のバケツ型汚物収容器に排便排尿し、収容された汚物をトイレに流すというものである。【００１３】しかし、汚物をトイレに流した後の汚物収容器には糞便や臭いが付着している。そのため、汚物収容器を清潔に保つためには汚物をトイレに流すたびに汚物収容器を洗浄しなければならないという煩わしさがある。【００１４】さらに、介護用ポータブルトイレの汚物収容器を一般家庭のトイレで洗浄することは困難であり、そのため汚物をトイレに流した後、風呂場やベランダ、あるいは駐車場の一角などが洗浄場所として利用されているが、汚物収容器の洗浄に使用した場所も洗浄しなければならないという二重の煩わしさがある。【００１５】すなわち、介護用ポータブルトイレはそれを使用する被介護者には便利なものであっても、介護者は汚物をトイレに流し、洗浄場所へ移動し、汚物収容器を洗浄し、汚物収容器の水滴をふき取り、洗浄に使用した場所を清掃しなければならないという煩わしさがあった。【００１６】このように、介護用ポータブルトイレの汚物収容器の洗浄作業は介護者にとって大きな負担となる作業であることから、ともすれば汚物廃棄の回数を減らし、汚物が入ったままのポータブルトイレを長時間放置し、あるいは汚物収容器の洗浄を十分に行わないため被介護者の部屋が不衛生で悪臭を放り状態に置かれることが往々にして起こっている。【００１７】本発明はこのような現状のもとで考案されたものであり、介護用ポータブルトイレの汚物処理を簡単かつ清潔に行える汚物処理袋を提供することにより、介護者の負担軽減を図ることを課題としている。
【課題を解決するための手段】
【００１８】本発明は溶解温度摂氏６０度以上の熱水溶解フィルムの多層構造の袋であって、各層の底辺が数センチの間隔を置き互いに接触していない複数底を持ち、深さ方向の両端を重ねてヒートシールすることで一体の袋を形成していることを特徴とする介護用ポータブルトイレ用の汚物処理袋を考案することにより従来の課題を解決している。
【発明の効果】
【００１９】本発明は従来技術では困難であった水分の多い人間の排便排尿を長時間収容することができ、なおかつ互いに接触しない複数底を持つことにより汚物と直接接する第一層目の袋の外側に発生する結露が袋外に落ちることを防いでいる。【００２０】また、従来の介護用ポータブルトイレの汚物廃棄方法では介護者は必ず汚物収容器の洗浄作業を行わなければならなかったが、本発明では汚物の入った汚物処理袋を水洗トイレに入れ、フィルムの溶解温度以上の熱水を注ぐだけで汚物廃棄を完了することができる。このことにより汚物収容器の洗浄作業が不要となる。すなわち、本発明はポータブルトイレの汚物廃棄作業から介護者の負担を大幅に軽減することに貢献する。【００２１】また、従来よりフィルムを半折する製袋方法には半折用三角板が用いられてきたが、従来の半折用三角板を使用して複数底の袋を製造する場合には、複数の半折用三角板を使用しなければならず、三角板の設置位置とロール状のフィルムを架ける部分を改造しなければならない。しかし、本発明の複数スロットを持つ三角板を使用すれば製袋機を改造することなく容易に複数底を持つ袋を製造することができる。
【発明を実施するための最良の形態】
【００２２】ロール状の溶解温度摂氏６０度以上のポリビニルアルコールフィルムを２本用意し、そのうち１本を半折用三角板の最外部に、１本を三角板の最外部から数センチの間隔で設けられたスロットに通して押さえローラーでフィルムを重ね合わせる。その後、深さ方向をヒートシールすることにより底辺が数センチの間隔を置いて互いに接触しない２重底を持つ一体となった袋を製造することができる。なお、半折用三角板に設けられたスロットの数だけ多層袋を製造することができる。
【実施例】
【００２３】以下、本願発明を実施するための最良の形態について、図面を参照して具体的に説明する。なお、図面は構造を簡単に説明するため二層の袋を用いている。【００２４】図１は全体斜面図、図２は汚物を収容した斜面図、図３は汚物を収容した断面図、図４は複数スロットを設けたフィルム半折用三角板、図５はフィルム半折用三角板を使用する図、図６はフィルム半折用三角板を通過した後のヒートシール製袋透過図である。【００２５】最良の形態は図１のように、溶解温度摂氏６０度以上のポリビニルアルコールフィルムで袋を二重に形成し、各袋の底辺が互いに接触しておらず、深さ方向の両端をヒートシールした構成の二重底の袋を製造する。このとき、内側の袋は外側の袋よりも長くしておく。【００２６】内側の袋の口部分は汚物の重みで落下しないように汚物収容器の口で折り返しゴムバンド等のストッパーで保持する。この構成により内側のフィルムは排便排尿と直接接触し、外側のフィルムは内側フィルムの外側に発生する結露が袋の外部に落ちるのを防止している同時に、万一内側のフィルムから汚物が漏れた場合にも、汚物が袋外部に漏れることを防止している。【００２７】なお、温水洗浄付のポータブルトイレを使用する場合には三重の袋を使用し、二層目の袋に降温用の水を入れておくことが望ましい。この構成により一層目の袋に温水が入っても二層目の袋外部に発生する結露を最小限にし、三層目の袋外部に結露の発生を防ぐことができる。【００２８】廃棄する場合には汚物収容器やホルダーから袋を外し、水洗トイレに入れ、フィルムの溶解温度以上の熱水を注げば、フィルムは溶解し汚物は下水に流れていく。【００２９】本発明を製造するに際し、製袋機を改造することなく製造するために図５の複数スロットを設けた三角板を使用する。フィルムを各スロットに通し、押さえローラー通過後にヒートシールすれば複数底を持つ本発明の汚物処理袋を製造することがきる。【００３０】なお、図１のように袋の底部より口部が広い袋を製造するには、製袋後トムソン加工により不要部分を切り落とす。
【図面の簡単な説明】
【００３１】
【図１】本願発明のポータブルトイレ用汚物収容袋の全体斜視図である。
【図２】袋上部を折り返し、汚物を収容した状態の全体斜視図である。
【図３】汚物が入った状態の図２の断面図である。
【図４】複数スロットを設けたフィルム半折用三角板である。
【図５】フィルム半折用三角板を使用する図である。
【図６】半折用三角板を通過した後のフィルムが押さえローラーを通りヒートシールされる透過図である。
【符号の説明】
１  内袋
２  外袋
３  内袋の底部
４  外袋の底部
５  ヒートシール部分
６  外袋の折り返し部分
７  複数底用スロット
８  外袋用フィルムのロール
９  内袋用フィルムのロール
１０押えローラー
【図１】
2006296399.tif 000003
【図２】
2006296399.tif 000004
【図３】
2006296399.tif 000005
【図４】
2006296399.tif 000006
【図５】
2006296399.tif 000007
【図６】
2006296399.tif 000008